(57)【要約】【課題】無線ＬＡＮアクセスポイントの設置位置までルート案内を行うことが可能な無線通信システムを提供する。【解決手段】無線装置（１）は、無線ＬＡＮアクセスポイント（４）の設置位置を、位置管理装置（３）から取得し、その取得した設置位置を基に、無線装置（１）と無線通信を行う無線ＬＡＮアクセスポイント（４）を決定する。そして、無線装置（１）は、無線装置（１）の位置情報を取得し、該取得した無線装置（１）の位置情報を基に、上記決定した無線ＬＡＮアクセスポイント（４）の設置位置までルート案内を行う。【選択図】図１
2008227614.tif 000002
【特許請求の範囲】
【請求項１】
無線ＬＡＮアクセスポイントと無線通信を行う無線装置であって、
前記無線装置と無線通信を行う無線ＬＡＮアクセスポイントを決定する決定手段と、
前記無線装置の位置情報を取得し、該取得した無線装置の位置情報を基に、前記決定手段により決定した無線ＬＡＮアクセスポイントの設置位置までルート案内を行う案内手段と、
を有することを特徴とする無線装置。
【請求項２】
無線ＬＡＮアクセスポイントの設置位置を記憶する記憶手段を有し、
前記決定手段は、
前記設置位置を基に、前記無線装置と無線通信を行う無線ＬＡＮアクセスポイントを決定することを特徴とする請求項１記載の無線装置。
【請求項３】
前記設置位置を管理する位置管理装置から前記設置位置を取得し、該取得した設置位置を前記記憶手段に記憶する位置取得手段を有することを特徴とする請求項２記載の無線装置。
【請求項４】
前記設置位置を表示する表示手段を有し、
前記決定手段は、
前記表示手段に表示された設置位置を基に、無線ＬＡＮアクセスポイントが指定された場合に、該指定された無線ＬＡＮアクセスポイントを、前記無線装置と無線通信を行う無線ＬＡＮアクセスポイントとして決定することを特徴とする請求項２記載の無線装置。
【請求項５】
前記決定手段は、
前記設置位置と、前記無線装置の位置情報と、を基に、前記無線装置の位置情報と一番近い設置位置の無線ＬＡＮアクセスポイントを決定し、該決定した無線ＬＡＮアクセスポイントを、前記無線装置と無線通信を行う無線ＬＡＮアクセスポイントとして決定することを特徴とする請求項２記載の無線装置。
【請求項６】
前記設置位置には、前記無線ＬＡＮアクセスポイントに関する機器情報が含まれており、
前記決定手段は、
前記機器情報を基に、前記無線装置と無線通信可能な無線ＬＡＮアクセスポイントを決定し、該決定した無線ＬＡＮアクセスポイントを、前記無線装置と無線通信を行う無線ＬＡＮアクセスポイントとして決定することを特徴とする請求項２または５記載の無線装置。
【請求項７】
前記無線ＬＡＮアクセスポイントの設置位置まで到達した場合に、その旨を報知する報知手段を有することを特徴とする請求項１記載の無線装置。
【請求項８】
無線ＬＡＮアクセスポイントと、前記無線ＬＡＮアクセスポイントと無線通信を行う無線装置と、前記無線ＬＡＮアクセスポイントの設置位置を管理する位置管理装置と、を有する無線通信システムであって、
前記無線装置は、
前記無線ＬＡＮアクセスポイントの設置位置を、前記位置管理装置から取得する位置取得手段と、
前記設置位置を基に、前記無線装置と無線通信を行う無線ＬＡＮアクセスポイントを決定する決定手段と、
前記無線装置の位置情報を取得し、該取得した無線装置の位置情報を基に、前記決定手段により決定した無線ＬＡＮアクセスポイントの設置位置までルート案内を行う案内手段と、
を有することを特徴とする無線通信システム。
【請求項９】
無線ＬＡＮアクセスポイントと無線通信を行う無線装置で行う通信制御方法であって、
前記無線装置と無線通信を行う無線ＬＡＮアクセスポイントを決定する決定工程と、
前記無線装置の位置情報を取得し、該取得した無線装置の位置情報を基に、前記決定工程により決定した無線ＬＡＮアクセスポイントの設置位置までルート案内を行う案内工程と、を、前記無線装置が行うことを特徴とする通信制御方法。
【請求項１０】
無線ＬＡＮアクセスポイントと、前記無線ＬＡＮアクセスポイントと無線通信を行う無線装置と、前記無線ＬＡＮアクセスポイントの設置位置を管理する位置管理装置と、を有する無線通信システムで行う通信制御方法であって、
前記無線装置は、
前記無線ＬＡＮアクセスポイントの設置位置を、前記位置管理装置から取得する位置取得工程と、
前記設置位置を基に、前記無線装置と無線通信を行う無線ＬＡＮアクセスポイントを決定する決定工程と、
前記無線装置の位置情報を取得し、該取得した無線装置の位置情報を基に、前記決定工程により決定した無線ＬＡＮアクセスポイントの設置位置までルート案内を行う案内工程と、を行うことを特徴とする通信制御方法。
【請求項１１】
無線ＬＡＮアクセスポイントと無線通信を行う無線装置に実行させる通信制御プログラムであって、
前記無線装置と無線通信を行う無線ＬＡＮアクセスポイントを決定する決定処理と、
前記無線装置の位置情報を取得し、該取得した無線装置の位置情報を基に、前記決定処理により決定した無線ＬＡＮアクセスポイントの設置位置までルート案内を行う案内処理と、を、前記無線装置に実行させることを特徴とする通信制御プログラム。
【発明の詳細な説明】
【技術分野】
【０００１】
本発明は、携帯電話機、ＰＨＳ（Personal Handy phone System）、ＰＤＡ（Personal Data Assistance，Personal Digital Assistants）、ＰＣ等の無線装置、無線通信システム、通信制御方法及び通信制御プログラムに関し、特に、無線ＬＡＮアクセスポイントの設置位置まで無線装置をルート案内することが可能な無線装置、無線通信システム、通信制御方法及び通信制御プログラムに関するものである。
【背景技術】
【０００２】
従来は、無線ＬＡＮアクセスポイントが存在していても、利用者は、その無線ＬＡＮアクセスポイントの設置位置を事前に調べ、無線装置と無線通信が可能な無線ＬＡＮアクセスポイントの設置位置を把握しておく必要があった。
【０００３】
このため、土地勘のない場所、例えば、出張先や旅行先など、利用者が初めて訪れた場所等では、無線ＬＡＮアクセスポイントの設置位置を把握することは非常に困難となる。
【０００４】
また、近年、無線ＬＡＮアクセスポイントといっても、様々な仕様やアクセス制御が存在し、利用者は、それらの無線ＬＡＮアクセスポイントを区別して使い分ける必要がある。
【０００５】
このようなことから、無線装置と無線通信が可能な無線ＬＡＮアクセスポイントの設置位置までルート案内してくれる通信制御方法の開発が必要視されることになる。
【０００６】
なお、本発明より先に出願された技術文献として、公衆ネットワークを用いて最寄りのアクセスポイント情報を取得し、該取得したアクセスポイント情報を用いて、無線ＬＡＮなどのローカルネットワークと容易に接続する技術について開示された文献がある（例えば、特許文献１参照）。
【０００７】
また、ＧＰＳにより携帯電話機の所在位置を検出し、該検出した所在位置を基に、携帯電話機がアクセスポイントと通信できる可能性がある地理的範囲内に存在する場合に、アクセスポイントとの通信を試みる技術について開示された文献がある（例えば、特許文献２参照）。
【特許文献１】特開２００５−７２９８０号公報
【特許文献２】特開２００５−８００７１号公報
【発明の開示】
【発明が解決しようとする課題】
【０００８】
しかしながら、上記特許文献１〜２には、無線ＬＡＮアクセスポイントの設置位置までルート案内を行う点については何ら記載もその必要性についても示唆されていない。
【０００９】
本発明は、上記事情に鑑みてなされたものであり、無線ＬＡＮアクセスポイントの設置位置までルート案内を行うことが可能な無線装置、無線通信システム、通信制御方法及び通信制御プログラムを提供することを目的とするものである。
【課題を解決するための手段】
【００１０】
かかる目的を達成するために、本発明は、以下の特徴を有することとする。
【００１１】
本発明にかかる無線装置は、
無線ＬＡＮアクセスポイントと無線通信を行う無線装置であって、
前記無線装置と無線通信を行う無線ＬＡＮアクセスポイントを決定する決定手段と、
前記無線装置の位置情報を取得し、該取得した無線装置の位置情報を基に、前記決定手段により決定した無線ＬＡＮアクセスポイントの設置位置までルート案内を行う案内手段と、
を有することを特徴とする。
【００１２】
また、本発明にかかる無線装置は、
無線ＬＡＮアクセスポイントの設置位置を記憶する記憶手段を有し、
前記決定手段は、
前記設置位置を基に、前記無線装置と無線通信を行う無線ＬＡＮアクセスポイントを決定することを特徴とする。
【００１３】
本発明にかかる無線装置は、
前記設置位置を管理する位置管理装置から前記設置位置を取得し、該取得した設置位置を前記記憶手段に記憶する位置取得手段を有することを特徴とする。
【００１４】
本発明にかかる無線装置は、
前記設置位置を表示する表示手段を有し、
前記決定手段は、
前記表示手段に表示された設置位置を基に、無線ＬＡＮアクセスポイントが指定された場合に、該指定された無線ＬＡＮアクセスポイントを、前記無線装置と無線通信を行う無線ＬＡＮアクセスポイントとして決定することを特徴とする。
【００１５】
本発明にかかる無線装置において、
前記決定手段は、
前記設置位置と、前記無線装置の位置情報と、を基に、前記無線装置の位置情報と一番近い設置位置の無線ＬＡＮアクセスポイントを決定し、該決定した無線ＬＡＮアクセスポイントを、前記無線装置と無線通信を行う無線ＬＡＮアクセスポイントとして決定することを特徴とする。
【００１６】
本発明にかかる無線装置において、
前記設置位置には、前記無線ＬＡＮアクセスポイントに関する機器情報が含まれており、
前記決定手段は、
前記機器情報を基に、前記無線装置と無線通信可能な無線ＬＡＮアクセスポイントを決定し、該決定した無線ＬＡＮアクセスポイントを、前記無線装置と無線通信を行う無線ＬＡＮアクセスポイントとして決定することを特徴とする。
【００１７】
また、本発明にかかる無線装置は、
前記無線ＬＡＮアクセスポイントの設置位置まで到達した場合に、その旨を報知する報知手段を有することを特徴とする。
【００１８】
また、本発明にかかる無線通信システムは、
無線ＬＡＮアクセスポイントと、前記無線ＬＡＮアクセスポイントと無線通信を行う無線装置と、前記無線ＬＡＮアクセスポイントの設置位置を管理する位置管理装置と、を有する無線通信システムであって、
前記無線装置は、
前記無線ＬＡＮアクセスポイントの設置位置を、前記位置管理装置から取得する位置取得手段と、
前記設置位置を基に、前記無線装置と無線通信を行う無線ＬＡＮアクセスポイントを決定する決定手段と、
前記無線装置の位置情報を取得し、該取得した無線装置の位置情報を基に、前記決定手段により決定した無線ＬＡＮアクセスポイントの設置位置までルート案内を行う案内手段と、
を有することを特徴とする。
【００１９】
また、本発明にかかる通信制御方法は、
無線ＬＡＮアクセスポイントと無線通信を行う無線装置で行う通信制御方法であって、
前記無線装置と無線通信を行う無線ＬＡＮアクセスポイントを決定する決定工程と、
前記無線装置の位置情報を取得し、該取得した無線装置の位置情報を基に、前記決定工程により決定した無線ＬＡＮアクセスポイントの設置位置までルート案内を行う案内工程と、を、前記無線装置が行うことを特徴とする。
【００２０】
また、本発明にかかる通信制御方法は、
無線ＬＡＮアクセスポイントと、前記無線ＬＡＮアクセスポイントと無線通信を行う無線装置と、前記無線ＬＡＮアクセスポイントの設置位置を管理する位置管理装置と、を有する無線通信システムで行う通信制御方法であって、
前記無線装置は、
前記無線ＬＡＮアクセスポイントの設置位置を、前記位置管理装置から取得する位置取得工程と、
前記設置位置を基に、前記無線装置と無線通信を行う無線ＬＡＮアクセスポイントを決定する決定工程と、
前記無線装置の位置情報を取得し、該取得した無線装置の位置情報を基に、前記決定工程により決定した無線ＬＡＮアクセスポイントの設置位置までルート案内を行う案内工程と、を行うことを特徴とする。
【００２１】
また、本発明にかかる通信制御プログラムは、
無線ＬＡＮアクセスポイントと無線通信を行う無線装置に実行させる通信制御プログラムであって、
前記無線装置と無線通信を行う無線ＬＡＮアクセスポイントを決定する決定処理と、
前記無線装置の位置情報を取得し、該取得した無線装置の位置情報を基に、前記決定処理により決定した無線ＬＡＮアクセスポイントの設置位置までルート案内を行う案内処理と、を、前記無線装置に実行させることを特徴とする。
【発明の効果】
【００２２】
本発明によれば、無線ＬＡＮアクセスポイントの設置位置までルート案内を行うことが可能となる。
【発明を実施するための最良の形態】
【００２３】
＜無線通信システムの特徴＞
まず、図１を参照しながら、本実施形態の無線通信システムの特徴について説明する。
【００２４】
本実施形態における無線通信システムは、無線ＬＡＮアクセスポイント（４）と、無線ＬＡＮアクセスポイント（４）と無線通信を行う無線装置（１）と、無線ＬＡＮアクセスポイント（４）の設置位置を管理する位置管理装置（３）と、を有する無線通信システムである。
【００２５】
そして、無線装置（１）は、無線ＬＡＮアクセスポイント（４）の設置位置を、位置管理装置（３）から取得し、その取得した設置位置を基に、無線装置（１）と無線通信を行う無線ＬＡＮアクセスポイント（４）を決定する。
【００２６】
そして、無線装置（１）は、無線装置（１）の位置情報を取得し、該取得した無線装置（１）の位置情報を基に、上記決定した無線ＬＡＮアクセスポイント（４）の設置位置までルート案内を行う。
【００２７】
これにより、無線ＬＡＮアクセスポイント（４）の設置位置までルート案内を行うことが可能となり、無線装置（１）は、無線ＬＡＮアクセスポイント（４）と無線通信を行うことが可能となる。以下、添付図面を参照しながら、本実施形態の無線通信システムについて詳細に説明する。
【００２８】
＜無線通信システムのシステム構成＞
まず、図１を参照しながら、本実施形態の無線通信システムのシステム構成について説明する。
【００２９】
本実施形態における無線通信システムは、無線装置（１）と、基地局（２）と、位置管理装置（３）と、無線ＬＡＮアクセスポイント（４）と、ＧＰＳ衛星（５）と、を有して構成している。
【００３０】
＜無線装置：１＞
無線装置（１）は、携帯電話機、ＰＨＳ（Personal Handy phone System）、ＰＤＡ（Personal Data Assistance，Personal Digital Assistants）、ＰＣ等の無線装置である。なお、本実施形態における無線装置（１）は、無線通信が可能な装置であれば、あらゆる無線装置が適用可能である。以下、図１を参照しながら、無線装置（１）の内部構成について説明する。
【００３１】
本実施形態における無線装置（１）は、ＧＰＳ部（１１）と、表示部（１２）と、通信部（１３）と、アプリケーション部（１４）と、記憶部（１５）と、サウンド部（１６）と、無線ＬＡＮ部（１７）と、を有して構成している。
【００３２】
ＧＰＳ部（１１）は、無線装置（１）の位置情報をＧＰＳ衛星（５）から取得する機能を持つ。
【００３３】
表示部（１２）は、無線装置（１）のディスプレイ等であり、アプリケーション部（１４）等の制御により情報表示を行う機能を持つ。
【００３４】
通信部（１３）は、無線装置（１）と、基地局（２）の通信部（２１）と、を通信網によって接続する機能を持つ。
【００３５】
アプリケーション部（１４）は、ＧＰＳ部（１１）、表示部（１２）、通信部（１３）、記憶部（１５）、サウンド部（１６）、無線ＬＡＮ部（１７）と連携し、様々な情報の管理を行うものである。
【００３６】
記憶部（１５）は、無線ＬＡＮアクセスポイント情報を記憶するデータ領域である。なお、無線ＬＡＮアクセスポイント情報は、無線ＬＡＮアクセスポイント（４）の設置位置を特定するための情報である。
【００３７】
なお、アプリケーション部（１４）は、位置管理装置（３）にアクセスし、位置管理装置（３）のデータベース（３１）で管理している無線ＬＡＮアクセスポイント情報を取得し、該取得した無線ＬＡＮアクセスポイント情報を記憶部（１５）に記憶する。これにより、記憶部（１５）は、最新の無線ＬＡＮアクセスポイント情報を記憶して管理することになる。
【００３８】
サウンド部（１６）は、アプリケーション部（１４）からの命令によりサウンドを鳴動する機能を持つ。
【００３９】
無線ＬＡＮ部（１７）は、無線ＬＡＮ帯域内で無線ＬＡＮアクセスポイント（４）と無線通信を行う機能を持つ。
【００４０】
＜基地局：２＞
基地局（２）は、通信部（２１）を有し、通信部（２１）により、無線装置（１）と、位置管理装置（３）と、の情報通信を確立するためのものである。
【００４１】
＜位置管理装置：３＞
位置管理装置（３）は、無線ＬＡＮアクセスポイント情報を管理する情報処理装置であり、無線ＬＡＮアクセスポイント情報をデータベース（３１）で管理することになる。そして、位置管理装置（３）は、データベース（３１）において管理している無線ＬＡＮアクセスポイント情報を基地局（２）を介して無線装置（１）に提供することになる。なお、無線ＬＡＮアクセスポイント情報の提供者は、最新の無線ＬＡＮアクセスポイント情報を位置管理装置（３）に登録し、位置管理装置（３）において常に最新の無線ＬＡＮアクセスポイント情報を管理するように構築することになる。
【００４２】
なお、位置管理装置（３）において管理する無線ＬＡＮアクセスポイント情報の管理方法は、特に限定せず、無線ＬＡＮアクセスポイント（４）の設置位置を管理することが可能であれば、あらゆる情報を基に管理することは可能である。例えば、無線ＬＡＮアクセスポイント情報をエリア毎に区分して管理するように構築することも可能である。
【００４３】
＜無線ＬＡＮアクセスポイント：４＞
無線ＬＡＮアクセスポイント（４）は、無線装置（１）と無線通信を確立し、無線装置（１）を無線ＬＡＮアクセスポイント（４）を介してネットワークに接続するためのものである。
【００４４】
＜ＧＰＳ衛星：５＞
ＧＰＳ衛星（５）は、無線装置（１）のＧＰＳ部（１１）と通信し、無線装置（１）の位置情報を、無線装置（１）に送信するものである。
【００４５】
＜無線通信システムにおける処理動作＞
次に、図１、図２を参照しながら、本実施形態の無線通信システムにおける一連の処理動作について説明する。
【００４６】
まず、無線装置（１）の利用者が無線ＬＡＮアクセスポイント（４）を利用したい場合に、アプリケーション部（１４）を起動する（ステップＳ１）。これにより、アプリケーション部（１４）は、以下に説明する一連の処理動作を行うことになる。
【００４７】
アプリケーション部（１４）は、ＧＰＳ部（１１）を制御し、ＧＰＳ衛星（５）と通信を行い、無線装置（１）の現在の位置情報をＧＰＳ衛星（５）から取得する（ステップＳ２）。
【００４８】
アプリケーション部（１４）は、基地局（２）を経由し、位置管理装置（３）のデータベース（３１）で管理している無線ＬＡＮアクセスポイント情報を確認し、無線装置（１）の記憶部（１５）に記憶されている無線ＬＡＮアクセスポイント情報と比較し、位置管理装置（３）のデータベース（３１）で管理している無線ＬＡＮアクセスポイント情報を取得していない場合は、位置管理装置（３）から無線ＬＡＮアクセスポイント情報を無線装置（１）にダウンロードする。そして、アプリケーション部（１４）は、位置管理装置（３）からダウンロードした無線ＬＡＮアクセスポイント情報を記憶部（１５）に記憶する（ステップＳ３）。
【００４９】
これにより、無線装置（１）は、最新の無線ＬＡＮアクセスポイント情報を記憶部（１５）で管理することが可能となる。
【００５０】
なお、アプリケーション部（１４）は、ＧＰＳ部（１１）により取得した無線装置（１）の位置情報を基に、その無線装置（１）の位置情報に対応するエリアの無線ＬＡＮアクセスポイント情報を、位置管理装置（３）からダウンロードし、そのダウンロードした無線ＬＡＮアクセスポイント情報を、記憶部（１５）で管理することになる。
【００５１】
次に、アプリケーション部（１４）は、記憶部（１５）に記憶した無線ＬＡＮアクセスポイント情報を表示部（１２）上に表示し、利用者にどの無線ＬＡＮアクセスポイント（４）を利用するのかを促し、利用者に無線ＬＡＮアクセスポイント（４）の選択要求を行う。
【００５２】
このとき、アプリケーション部（１４）は、無線ＬＡＮアクセスポイント（４）の通信速度、仕様、アクセス制御等の機器情報を表示部（１２）上に表示し、利用者は、表示部（１２）上に表示された機器情報を考慮して、無線ＬＡＮアクセスポイント（４）を選択するように構築することも可能である（ステップＳ４）。
【００５３】
アプリケーション部（１４）は、無線ＬＡＮアクセスポイント（４）が選択指定された場合には、その選択指定された無線ＬＡＮアクセスポイント（４）の設置位置を目的地とし、ＧＰＳ部（１１）によるルート案内を開始する（ステップＳ５）。
【００５４】
アプリケーション部（１４）は、ＧＰＳ部（１１）により取得した無線装置（１）の位置情報を基に、無線ＬＡＮアクセスポイント（４）の設置位置に到着した場合は、サウンド部（１６）を制御し、サウンドを鳴動し、無線ＬＡＮアクセスポイント（４）の設置位置に到着した旨を利用者に通知する。
【００５５】
なお、アプリケーション部（１４）は、無線ＬＡＮアクセスポイント（４）の設置位置に到着した場合は、無線ＬＡＮ部（１７）を制御し、無線ＬＡＮアクセスポイント（４）と無線通信を行い、無線ＬＡＮアクセスポイント（４）を介してネットワークに接続する（ステップＳ６）。
【００５６】
このように、本実施形態における無線装置（１）は、記憶部（１５）で管理している無線ＬＡＮアクセスポイント情報と、無線装置（１）の位置情報と、を基に、無線ＬＡＮアクセスポイント（４）の設置位置までルート案内を行うことになる。
【００５７】
これにより、無線装置（１）は、無線ＬＡＮアクセスポイント（４）の設置位置までルート案内を行うことが可能となり、利用者は、無線装置（１）と無線通信が可能な無線ＬＡＮアクセスポイント（４）の設置位置を事前に把握することなく、無線ＬＡＮアクセスポイント（４）と無線通信を行うことが可能となる。
【００５８】
（第２の実施形態）
次に、第２の実施形態について説明する。
【００５９】
第１の実施形態における無線装置（１）は、図２に示すステップＳ４において、記憶部（１５）に記憶した無線ＬＡＮアクセスポイント情報を表示部（１２）上に表示し、利用者にどの無線ＬＡＮアクセスポイント（４）を利用するのかを促し、利用者に無線ＬＡＮアクセスポイント（４）の選択要求を行い、利用者に無線ＬＡＮアクセスポイント（４）を選択させるように制御した。
【００６０】
第２の実施形態における無線装置（１）は、記憶部（１５）に記憶した無線ＬＡＮアクセスポイント情報を基に、無線装置（１）と無線通信を行う無線ＬＡＮアクセスポイント（４）を自動的に決定し、該決定した無線ＬＡＮアクセスポイント（４）にルート案内を行うことを特徴とする。
【００６１】
これにより、無線装置（１）は、無線装置（１）と無線通信が可能な無線ＬＡＮアクセスポイント（４）の設置位置に自動的にルート案内を行うことが可能となる。
【００６２】
なお、無線装置（１）がルート案内を行う無線ＬＡＮアクセスポイント（４）を決定する決定方法としては、無線装置（１）の現在の位置情報と、無線ＬＡＮアクセスポイント情報と、を基に、無線装置（１）の現在の位置情報と一番近い無線ＬＡＮアクセスポイント（４）を、無線装置（１）がルート案内を行う無線ＬＡＮアクセスポイント（４）として決定する方法が挙げられる。
【００６３】
また、無線装置（１）の機器情報と、無線ＬＡＮアクセスポイント情報と、を基に、無線装置（１）の機器情報に適合した無線ＬＡＮアクセスポイント（４）を、無線装置（１）がルート案内を行う無線ＬＡＮアクセスポイント（４）として決定する方法が挙げられる。以下、図３、図４を参照しながら、本実施形態における無線通信システムについて詳細に説明する。
【００６４】
本実施形態における位置管理装置（３）は、無線ＬＡＮアクセスポイントの機器情報（無線ＬＡＮ規格、認証方法等）を含めた無線ＬＡＮアクセスポイント情報をデータベース（３１）に記憶して管理し、無線装置（１）は、位置管理装置（３）から図３に示すような無線ＬＡＮアクセスポイント情報を取得し、該取得した無線ＬＡＮアクセスポイント情報を記憶部（１５）に記憶して管理することになる。
【００６５】
なお、図３では、無線ＬＡＮアクセスポイント情報は、『サービス種別』、『位置情報』、『無線ＬＡＮ規格』、『認証方法』、『暗号化』、『優先度情報』、『アカウント情報』から構成されている。
【００６６】
『サービス種別』は、無線ＬＡＮアクセスポイントを利用する際のサービス種別の情報であり、例えば、有償サービス、無償サービスなどが挙げられる。
【００６７】
『位置情報』は、無線ＬＡＮアクセスポイントの設置位置を示す情報である。
【００６８】
『無線ＬＡＮ規格』は、無線ＬＡＮアクセスポイントがサポートしている無線ＬＡＮ規格の情報であり、例えば、ＩＥＥＥ８０２．１１ａ／ｂ／ｇなどが挙げられる。
【００６９】
『認証方法』は、無線ＬＡＮアクセスポイントがサポートしている認証方法の情報であり、例えば、ＰＡＰ認証、ＭＡＣアドレス認証、ＳＳＩＤ（Service Set ID）、ＥＳＳＩＤ（Extended ＳＳＩＤ）などが挙げられる。
【００７０】
『暗号化』は、無線ＬＡＮアクセスポイントがサポートしている暗号化の情報であり、例えば、ＷＥＰ（Wired Equivalent Privacy）などが挙げられる。
【００７１】
『優先度情報』は、無線装置（１）が無線通信を行う無線ＬＡＮアクセスポイントを選択する際の優先度を示す情報であり、例えば、無線ＬＡＮアクセスポイントの位置情報を基に、無線装置（１）が無線通信を行う無線ＬＡＮアクセスポイントを選択する方法『ＡＰ距離』、無線ＬＡＮアクセスポイントの通信速度を基に、無線装置（１）が無線通信を行う無線ＬＡＮアクセスポイントを選択する方法『通信速度』、無線ＬＡＮアクセスポイントを利用する際の利用料金を基に、無線装置（１）が無線通信を行う無線ＬＡＮアクセスポイントを選択する方法『料金』などが挙げられる。
【００７２】
『アカウント情報』は、無線ＬＡＮアクセスポイントに関するアカウントの情報であり、例えば、アクセス制限なし、アカウント対応、ゲスト接続不可などが挙げられる。
【００７３】
なお、無線装置（１）は、無線装置（１）の位置情報、無線装置（１）がサポートしている機器情報（無線ＬＡＮ規格、認証方法等）を位置管理装置（３）に送信する。そして、位置管理装置（３）は、無線装置（１）から送信された位置情報及び機器情報を基に、データベース（３１）に記憶している無線ＬＡＮアクセスポイント情報をフィルタリング、優先度付けした上で、無線装置（１）に応じた図３に示す無線ＬＡＮアクセスポイント情報を生成し、該生成した無線ＬＡＮアクセスポイント情報を無線装置（１）に送信する。
【００７４】
これにより、無線装置（１）は、図３に示すような無線ＬＡＮアクセスポイント情報を取得し、該取得した無線ＬＡＮアクセスポイント情報を記憶部（１５）に記憶して管理することが可能となる。
【００７５】
そして、無線装置（１）は、記憶部（１５）に記憶した無線ＬＡＮアクセスポイント情報を基に、無線装置（１）と無線通信を行う無線ＬＡＮアクセスポイント（４）を自動的に決定し、該決定した無線ＬＡＮアクセスポイント（４）にルート案内を行うことになる。
【００７６】
例えば、図３に示す『優先度情報』を予め無線装置（１）に設定しておくことで、無線装置（１）は、図４に示すように、『優先度情報』を基に、無線装置（１）と無線通信を行う無線ＬＡＮアクセスポイント（４）を自動的に特定し、該特定した無線ＬＡＮアクセスポイント（４）にルート案内を行うことになる。
【００７７】
例えば、『優先度情報』として、『ＡＰ距離』を優先設定した場合には、無線装置（１）は、無線装置（１）の現在の位置情報と、無線ＬＡＮアクセスポイント情報と、を基に、図４（ａ）に示すように、無線装置（１）の現在の位置情報と一番近い無線ＬＡＮアクセスポイント（４）を優先的に決定し、該決定した無線ＬＡＮアクセスポイント（４）にルート案内を行うことになる。
【００７８】
また、『優先度情報』として、『通信速度』を優先設定した場合には、無線装置（１）は、無線装置（１）の位置情報及び機器情報と、無線ＬＡＮアクセスポイント情報と、を基に、図４（ｂ）に示すように、『通信速度』の早い無線ＬＡＮアクセスポイント（４）を優先的に決定し、該決定した無線ＬＡＮアクセスポイント（４）にルート案内を行うことになる。
【００７９】
また、『優先度情報』として、『料金』を優先設定した場合には、無線装置（１）は、無線装置（１）の位置情報及び機器情報と、無線ＬＡＮアクセスポイント情報と、を基に、図４（ｃ）に示すように、『料金』の安い無線ＬＡＮアクセスポイント（４）を優先的に決定し、該決定した無線ＬＡＮアクセスポイント（４）にルート案内を行うことになる。
【００８０】
このように、無線装置（１）は、記憶部（１５）に記憶した無線ＬＡＮアクセスポイント情報を基に、無線装置（１）と無線通信を行う無線ＬＡＮアクセスポイント（４）を自動的に決定し、該決定した無線ＬＡＮアクセスポイント（４）にルート案内を行うことが可能となる。
【００８１】
なお、上述する実施形態は、本発明の好適な実施形態であり、上記実施形態のみに本発明の範囲を限定するものではなく、本発明の要旨を逸脱しない範囲において種々の変更を施した形態での実施が可能である。
【００８２】
例えば、上述した実施形態では、無線ＬＡＮアクセスポイント（４）の設置位置に到着した場合は、サウンド部（１６）を制御し、サウンドを鳴動し、無線ＬＡＮアクセスポイント（４）の設置位置に到着した旨を利用者に通知することにしたが、無線ＬＡＮアクセスポイント（４）の設置位置に到着した旨を表示部（１２）上に表示するように構築することも可能である。
【００８３】
また、無線装置（１）は、記憶部（１５）に記憶した無線ＬＡＮアクセスポイント情報を基に、無線装置（１）がサポートしていない機器情報の無線ＬＡＮアクセスポイント（４）にはルート案内を行わないように構築することも可能である。
【００８４】
また、無線装置（１）は、無線装置（１）と無線通信を行うことになる無線ＬＡＮアクセスポイント（４）が有償サービスの場合には、位置管理装置（３）に対し、課金処理を行うことで、位置管理装置（３）は、ＩＤ、パスワード等の認証・アクセス情報を付与した無線ＬＡＮアクセスポイント情報を無線装置（１）に送信し、無線装置（１）は、ＩＤ、パスワード等の認証・アクセス情報を付与した無線ＬＡＮアクセスポイント情報を基に、有償サービスの無線ＬＡＮアクセスポイント（４）への接続を可能とするように構築することも可能である。
【００８５】
また、上述した実施形態における無線装置（１）における制御動作は、ハード構成ではなく、コンピュータプログラム等のソフトウェアにより実行することも可能であり、また、上記のプログラムは、光記録媒体、磁気記録媒体、光磁気記録媒体、または半導体等の記録媒体に記録し、その記録媒体から上記プログラムを、上述した無線装置（１）に読み込ませることで、上述した制御動作を、無線装置（１）において実行させることも可能である。また、所定のネットワークを介して接続されている外部機器から上記プログラムを上述した無線装置（１）に読み込ませることで、上述した制御動作を、無線装置（１）において実行させることも可能である。
【産業上の利用可能性】
【００８６】
本発明にかかる無線装置、無線通信システム、通信制御方法及び通信制御プログラムは、無線ＬＡＮアクセスポイントと無線通信が可能な機器に適用可能である。
【図面の簡単な説明】
【００８７】
【図１】本実施形態の無線通信システムのシステム構成を示す図である。
【図２】本実施形態の無線通信システムにおける一連の制御動作を示すフローチャートである。
【図３】無線ＬＡＮアクセスポイント情報のデータ構成例を示す図である。
【図４】無線装置（１）と無線通信を行う無線ＬＡＮアクセスポイント（４）を自動的に決定し、該決定した無線ＬＡＮアクセスポイント（４）にルート案内を行う場合を説明するための図である。
【符号の説明】
【００８８】
１    無線装置
１１    ＧＰＳ部
１２    表示部
１３    通信部
１４    アプリケーション部
１５    記憶部
１６    サウンド部
１７    無線ＬＡＮ部
２    基地局
２１    通信部
３    位置管理装置
３１    データベース
４    無線ＬＡＮアクセスポイント
５    ＧＰＳ衛星
【図１】
2008227614.tif 000003
【図２】
2008227614.tif 000004
【図３】
2008227614.tif 000005
【図４】
2008227614.tif 000006